(57)【要約】【課題】    多数の測定対象ごと測定データを記録していくロギングにおいて、測定対象の測定開始、終了に同時性がないときに、チャンネルごとのスタート、ストップの設定操作は煩わしく、誤りが生じやすい。【解決手段】    多数の測定対象を周期的に走査して、測定対象ごとに測定データを記録していくロギングにおいて、測定対象ごとに記録ファイルを作成しておき、測定対象ごとの接続、開放を検出して、接続されているチャンネルの測定データを当該測定対象のチャンネルのファイルに記録していき、測定対象が開放されると当該チャンネルの記録を停止するように測定データのロギングを行う。【選択図】      図１
2019100870.tif 000002
【特許請求の範囲】
【請求項１】
周期的に複数の測定対象についての測定データが入力され、測定対象ごとに前記測定データを記録部に記録していくロギング装置であって、
前記記録部は、測定対象ごとに測定データを記録するファイルを備え、
前記記録部の記録を制御するロギング制御部は、
測定対象に測定用端子が接続された場合に、当該測定対象の測定データの記録を開始し、測定対象から前記測定用端子が開放された場合に、当該測定対象の測定データの記録を停止する
ことを特徴とするロギング装置。
【請求項２】
請求項１記載のロギング装置において、
前記制御部は、前記測定対象に前記測定用端子が接続された場合に、当該測定対象の測定データを記録するファイルを作成させる
こと特徴とするロギング装置。
【請求項３】
請求項１または２記載のロギング装置において、
測定対象は、電池であって、
前記測定用端子は、前記電池の一対の電極に接続されるプローブであり、
前記測定用端子が、前記一対の電極に接続されたか否かは、測定する電池に接続される前記プローブおよび前記測定対象のインピーダンスと所定のしきい値と比較して判定する
ことを特徴とするロギング装置。
【請求項４】
周期的に複数の測定対象を走査して測定された測定データを記録部に記録していくロギング方法であって、
測定対象ごとに測定データを記録するファイルを設け、
前記記録部を制御するロギング制御手段は、測定対象が接続されると、当該測定対象の測定データを当該測定対象の前記ファイルに記録していき、測定対象が開放されると、当該測定対象の測定データの記録を停止する
ことを特徴とするロギング方法。
【請求項５】
周期的に複数の測定対象を走査して測定された測定データを記録部に記録していくロギング装置に備えられた制御部のコンピュータに、
測定対象ごとに測定を記録するファイルを作成するステップと、
測定対象が接続されると、当該測定対象の測定データを当該測定対象のファイルに記録していき、測定対象が開放されると、当該測定対象の測定データの記録を停止するステップと
を実行させることを特徴とするプログラム。
【発明の詳細な説明】
【技術分野】
【０００１】
本発明は、ロギング装置およびロギング方法、ならびにプログラムに関する。
【背景技術】
【０００２】
複数の測定対象を走査して、その特性値を測定し、測定データを記録装置に記録するロギング方法が知られている。例えば、数十個の電池にスキャナ（走査装置）を介して、測定装置として電圧計を接続し、スキャナによって、数十個の電池のＯＣＶ（開回路電圧）を測定し、その測定した電圧のデータをパソコンなどのコンピュータ装置の記憶部や専用の記録装置に、記録していく技術が知られている。
このような電圧を測定するロギングの技術については、以下の先行技術文献がある。
【先行技術文献】
【特許文献】
【０００３】
【特許文献１】特開２０１３−０４０９０１号公報
【発明の概要】
【発明が解決しようとする課題】
【０００４】
従来のロギング装置としては、一つの記録装置に一つの記録用ファイルを準備し、複数の測定対象につながるチャンネルをスキャナで走査しながら測定対象の測定データを記録していくものであった。たとえば、測定対象が電池である場合に、多数の電池にスキャナを介してプローブを接続し、スキャナから得られる各電池の開回路電圧を測定して記録するものであった。
測定対象が電池の試験では、一つの電池の測定に、たとえば、２週間とか３週間とか何週間もかけて、測定データをとって記録していく試験がある。
【０００５】
ところが、たとえば試作品のテストで測定データを記録していくと、常に何十個もの試作品を同時に測定工程に準備できるものではなく、不定期に試験に供する試作品が提供される。また、同時に何十個もの測定対象となる製品が用意できない場合も多い。このような不定期に提供される測定対象の測定データを従来のロギング装置で記録しようとするとつぎのような問題がある。
【０００６】
同時にある測定対象を測定できないとすると、不定期に供される測定対象の試験の日程に遅れがでてくる。一方、不定期に試験工程に供される測定対象の測定データを周期的にスキャンして記録していく場合に、走査するスキャナのチャンネルごとに、スイッチを設けることによって、チャンネルごとにロギングの開始、終了の指示を行うことは可能である。しかし、チャンネルごとに、測定対象を接続し、あるいは試験が終わるとスイッチを操作して記録を開始あるいは終了することになるので、何十個もの測定対象の電池を接続し、あるいは開放したごとに、スイッチでロギングの開始、終了を指示することは測定を行う者にとっては煩わしい。また、何十個もの測定対象を何週間も測定し続けるので、測定を行う者がロギングを指示するチャンネルの設定を誤るおそれがある。さらに、多数のチャンネルごとにスイッチ等を設ける必要があるので、測定対象の走査を行うスキャナやロギング装置の構成が複雑となり、高価なものとなりやすい問題がある。
【０００７】
また、測定対象ごとに測定データを参照して検討したい場合にも、測定対象ごとに測定データが記録され、データを測定対象ごとに取り出して解析できれば便利であるが、何十個もの測定対象のデータが一つのファイルに記録されていると、測定の終わった何十個の測定対象のデータから、解析したい測定対象のみのデータを切り出す作業が必要となる。
【０００８】
本発明は、このような課題を解決するために、複数の測定対象の測定データをロギングするときに、測定対象が接続、開放されたときに自動的に測定データの記録を開始、停止でき、測定データのロギングの操作が煩わしくないロギング装置、方法およびプログラムを提供することを目的とする。
【課題を解決するための手段】
【０００９】
上記課題を解決するために、本発明の第１の側面は、周期的に複数の測定対象についての測定データが入力され、測定対象ごとに前記測定データを記録部に記録していくロギング装置であって、記録部は、測定対象ごとに測定データを記録するファイルを備え、記録部の記録を制御するロギング制御部は、測定対象に測定用端子が接続された場合に、当該測定対象の測定データの記録を開始し、測定対象から測定用端子が開放された場合に、当該測定対象の測定データの記録を停止することを特徴とする。
【００１０】
なお、制御部は、測定対象に前記測定用端子が接続された場合に、当該測定対象の測定データを記録するファイルを作成させることができる。
【００１１】
また、測定対象は、電池であって、測定用端子は、電池の電極に接続されるプローブであり、測定用端子が、電極に接続されたか否かは、測定する電池に接続されるプローブおよび測定対象のインピーダンスと所定のしきい値と比較して判定することができる。
【００１２】
本発明の他の側面は、周期的に複数の測定対象を走査して測定された測定データを記録部に記録していくロギング方法であって、測定対象ごとに測定データを記録するファイルを設け、記録部を制御するロギング制御手段は、測定対象が接続されると、当該測定対象の測定データを当該測定対象のファイルに記録していき、測定対象が開放されると、当該測定対象の測定データの記録を停止することを特徴とする。
【００１３】
本発明の他の側面は、プログラムであって、周期的に複数の測定対象を走査して測定された測定データを記録部に記録していくロギング装置に備えられた制御部のコンピュータに、測定対象ごとに測定を記録するファイルを作成するステップと、測定対象が接続されると、当該測定対象の測定データを当該測定対象のファイルに記録していき、測定対象が開放されると、当該測定対象の測定データの記録を停止するステップとを実行させることを特徴とする。
【発明の効果】
【００１４】
測定対象ごとにロギングの開始、終了が自動的に行えるので、測定の自動化ができ、測定の煩わしさを解消できる。また、非同時的に供される測定対象の試験を効率よく行うことができる。さらに、測定データ取得の誤りが少なくなり、測定結果の解析も容易になる。
【図面の簡単な説明】
【００１５】
【図１】本発明の実施の形態を示す図であり、多数の電池の測定データをロギングする構成を示す図である。
【図２】ロギング装置の構成を示す図である。
【図３】ロギングの動作を説明するフローチャートである。
【図４】プローブが測定対象の電池に接続された否かを検出する電圧計の構成を示す図である。
【図５】ロギングされた測定データをロギング装置の表示部に表示した例を示す図である。
【発明を実施するための形態】
【００１６】
以下図面を参照して本発明の実施の形態を説明する。図１は、本発明の一実施の形態に係る電池の測定データをロギングする構成を示す図である。本実施の形態では、多数の電池の特性をスキャナを介して走査して測定装置としての電圧計で測定し、その測定データをパーソナルコンピュータ（以下ＰＣと表記する。）の記憶装置に記録していく構成で説明する。
なお、本明細書では、ロギングを周期的に複数のチャンネルを走査して、データを記録することを定期的に繰り返すことをいうものとする。
【００１７】
図１は、測定対象として、複数の電池４０−１、４０−２、・・・４０−ｎをスキャナ３０で走査して、測定器としての電圧計２０で、電池４０の電圧を測定し、その各電池の測定データとしての電圧値をＰＣ１０に記録していく構成を示している。電池４０−１、４０−２、・・・４０−ｎには、それぞれの電極にプローブ５０−１、５０−２、・・・５０−ｎが接続され、プローブ５０−１、５０−２、・・・５０−ｎは、スキャナ３０に接続されている。スキャナ３０は、電圧計２０に接続されており、電圧計２０で各電池の開回路電圧（ＯＣＶ）を測定する。ＰＣ１０は、電圧計２０で測定された各電池４０−１、４０−２、・・・４０−ｎの開回路電圧の測定データを記録する。またＰＣ１０は、スキャナ３０を制御して、スキャナ３０は、ＰＣ１０の制御の下で所定の周期で接続された電池４０−１、４０−２、・・・４０−ｎを走査する。ＰＣ１０は、スキャナ３０を制御して所定の周期で測定対象の電池を走査させる。電圧計２０は、スキャナ３０の走査した電池４０−１、４０−２、・・・４０−ｎの電圧を測定し、その測定データをＰＣ１０に出力する。ＰＣ１０は、電圧計２０が出力する電池４０−１、４０−２、・・・４０−ｎの測定データを測定日時とともに、それぞれの電池４０−１、４０−２、・・・４０−ｎごとに作成されているファイルに記録していく。
なお、図１では、電池４０−４は、プローブ５０−４が開放されて、測定工程から外されたものとする。
【００１８】
図２は、ＰＣ１０の構成を示すブロック図である。
ＰＣ１０は、電圧計２０、スキャナ３０との間でデータあるいは制御信号のやりとりを行う入出力部（インタフェース部）１１と、演算手段（ＣＰＵ）を備えた制御部１２、記憶部１３、表示部１４、出力部１５、操作部１６を備える。記憶部１３は、測定データの記録を記録する記憶手段、あるいは、ロギングの制御プログラムやＰＣの制御プログラム等を記憶する記憶装置であり、ロギング装置の記録装置として機能する。表示部１４は、測定データの表示、あるいは操作内容を表示するものである。操作部１６は、測定対象のロギングの指示、操作を入力するものであり、キーボード、マウス、あるいはタッチパネルによる操作入力が行われる。出力部１５は、プリンタ１８等にデータを出力するものであり、指定された測定対象の電池の測定データ等を出力し、プリンタ１８により印刷が行われる。
【００１９】
図２は、ロギング装置として機能するＰＣのロギング装置としての機能をブロックとして表したものである。ロギング装置としては、ＰＣは一例であって、多チャンネルのデータを取得して記録する専用のロギング装置であってもよい。この専用のロギング装置は、多チャンネルの測定データを時系列で記録する機能を有しており、また、測定対象となる電池が接続、開放された場合に、当該電池の測定データの記録の開始、停止を行う機能をもつ。
【００２０】
以下、図３のフローチャートを参照して本実施の形態の動作を説明する。
ロギングがスタートすると、ＰＣ１０は、スキャナ３０を制御して、全チャンネルを走査し、電圧計２０により測定された測定データを取り入れ、チャンネルごとにプローブ５０のコンタクトチェックを行う（ステップＳ１１、１２）。このコンタクトチェックは、電圧計２０で測定した電池のインピーダンスから、プローブ５０の接続状態を判定するもので、エラー状態から導通状態になったかの判断（ステップＳ１３）、導通状態からエラー状態になったかの判断（ステップＳ１６）となる。プローブ５０の接続状態が、エラー状態から導通状態に変化したときは、電池４０が新たに接続されたことであるので、当該電池が接続されたチャンネルの記録用ファイルを作成し、測定データの記録を開始する（ステップＳ１５）。プローブ５０の接続状態がエラー状態から導通状態に変化しない場合は、状態が導通状態からエラー状態に変化したかどうかを判定する（ステップＳ１６）。プローブ５０の接続状態が導通状態からエラー状態に変化した場合、プローブ５０が開放され電池４０が外されたことになるので、当該電池４０のチャンネルの記録を停止する（ステップＳ１７）。このとき、記録を停止したときは、当該チャンネルの測定データを記録するファイルを閉じる。ファイル閉じると、当該ファイルの書き込みはできなくなる。状態が変化しない場合（ステップＳ１６でＮｏの判定）は、接続が継続している状態であるので、そのまま測定データの記録状態を継続する。このようにして、測定対象の電池が新たに接続された場合、当該チャンネルの測定データを記録し、接続が開放された場合、当該チャンネルの測定データの記録を停止し、接続状態が変化しない場合は、測定データの記録を継続する（ステップＳ１８）。全体のロギングの停止の指示があった場合には、測定データのロギングを停止し、変化がない場合は、測定データのロギングを継続する（ステップＳ１９）。
【００２１】
次に、測定対象の電池が接続されたか、開放されたかの判定を行う構成について説明する。
図４は、電圧計２０の構成を示す図であり、電圧計２０が電池にプローブが接続されたか、プローブが外されたかを検出する構成、および電池の特性として、電池の電圧、インピーダンス等を算出する構成を示している。
【００２２】
電池にプローブが接続されたか、プローブが外されたかを検出する機能を有する電圧計２０は、図４に示すように、電流供給部２１、電圧測定部２２、電圧検出部２３、検波信号生成部２４、検波部２５、処理部２６、出力部２７、記憶部２８を備えている。電流供給部２１は、交流定電流源であり、スキャナを介して、測定対象の電池４０に測定交流電流を供給することが可能である。
【００２３】
測定対象の電池にプローブが接続されたか、外されたかの接続状態の判別は以下のように判別する。
電流供給部２１が、電池４０へ測定交流電流を供給するとともに、検波信号生成部２４に測定交流電流と同一周波数で同一位相の基準信号を出力する。また、電圧検出部２３が、測定交流電流の供給状態において、プローブ５０の端子間に発生する交流電圧を検出して、検出電圧信号として出力する。また、検波信号生成部２４が、入力している基準信号と同一周波数であって、この基準信号に対して位相が０度を超え９０度未満の角度範囲内の任意の角度だけ遅れた検波用信号を生成して検波部２５に出力する。検波部２５は、乗算器２５ａ、フィルタ部２５ｂからなり、検出電圧信号および検波用信号を入力して検出電圧信号を検波用信号で同期検波することにより、直流検波電圧を出力する。処理部２６は、直流検波電圧と測定交流電流の既知の電流値とに基づいてインピーダンスを算出し、記憶部２８に記憶されているしきい値データと比較し、算出したインピーダンスがしきい値を上回るか、下回るかにより、インピーダンスがしきい値を上回る場合は、接触状態が不良、すなわち、プローブが外れた状態であると判別し、しきい値を下回る場合は、接触状態が良好である、すなわち、プローブが接続された状態と判別し、その判別結果を出力部２７を介して、測定データを記録するＰＣ１０に出力する。
【００２４】
また、電圧測定部２２は、電池４０への測定交流電流の供給が停止された状態で電池電圧を測定し、その測定値は、デジタル信号に変換されて処理部２６、出力部２７を介して、電池４０の測定データとしてＰＣ１０に出力される。
【００２５】
図５は、ＰＣ１０の表示部１４に表示される表示画面の一例を示すものである。この表示例では、走査してロギングするチャンネル数が１００、そのうち、１画面に、入力された１番から５０番のチャンネルの測定データを表示している例を示している。なお、画面右側には、ロギングの操作用のボタンおよび測定用のボタンが表示される。
【００２６】
上記ＰＣ１０のロギングの動作は、インストールされるプログラムによって実現できる。プログラムは、スタンドアローンのＰＣにインストールできるだけでなく、ネットワークからもインストールすることが可能である。
【００２７】
上記ロギングの実施の形態は、スキャナに接続される電池の電圧を測定して、その測定データを記録する例で説明したが、記録する測定データは、電圧に限られない。測定対象が電池であれば、抵抗、インピーダンス、キャパシタンス等、電池で測定可能な他の測定データの記録に適用できる。
また、測定対象を電池としたが、他にコンデンサ等、多数の測定対象を測定装置に同時性なく接続して試験を行って測定データを記録するロギングに適用できる。また、測定データは、電気的な測定データに限られない。多数の測定対象の物理的な測定データを記録するものであってよい。
【００２８】
また、測定対象が接続されたか開放されたかの判別を電圧計で計測する交流インピーダンスが設定したしきい値と比較して判別するもので説明したが、そのような判別方法に限られない。接続、開放を光学的に接続がされたか、開放されたかによって、測定対象がスキャナに接続されか、開放されたかを判断してもよい。また、走査したチャンネルから測定データが到来しないことによって、導通状態から開放状態に変化したと判定し、記録するファイルを閉じるようにしてもよい。
【００２９】
上記の説明は、測定データを記録するものとしてのパーソナルコンピュータ、測定装置としての電圧計、測定対象が接続されるチャンネルを操作するスキャナを備えたロギング装置として説明したが、これらをひとつの装置に組み入れて、チャンネルの走査、測定、データの記録をひとつのロギング装置としてもよい。
また、上記説明では、測定対象が接続されたら記録用ファイルを作成すると説明したが、ロギングをスタートしたときに、全チャンネルのファイルを作成しておき、開放状態のチャンネルがあればファイルを閉じ、次に測定対象が接続されたらファイルを生成するという方法でもよい。
【符号の説明】
【００３０】
１０  パーソナルコンピュータ（ＰＣ）
１１  入出力部
１２  制御部
１３  記憶部
１４  表示部
１５  出力部
１６  操作部
１８  プリンタ
２０  電圧計
２１  電流供給部
２２  電圧測定部
２３  電圧検出部
２４  検波信号生成部
２５  検波部
２５ａ  乗算器
２５ｂ  フィルタ部
２６  処理部
２７  出力部
２８  記憶部
３０  スキャナ
４０、４０−１、４０−２、・・・４０−ｎ  電池
５０  ５０−１、５０−２、・・・５０−ｎ  プローブ
【図１】
2019100870.tif 000003
【図２】
2019100870.tif 000004
【図３】
2019100870.tif 000005
【図４】
2019100870.tif 000006
【図５】
2019100870.tif 000007